(57)【要約】【課題】規格外の各種マルチメディア関連機器をマルチメディアポート盤内に取り付けることができるマルチメディアポート用アタッチメントを提供する。【解決手段】このマルチメディアポート用アタッチメントＡは、細長の金属板１の縦方向の寸法をマルチメディアポート盤１００内に取り付けられる専用内器と同一寸法に形成すると共に、横方向の寸法を前記専用機器の単位モジュール寸法に形成している。縦方向の両端部には、マルチメディアポート盤１００内の縦方向の両端に左右方向に並んで設けられた複数のねじ孔１００ａ…，１００ｂ…の一つの対に対応する取付孔１ａ，１ｂが設られ、取付孔１ａ，１ｂの間を両脚片２ｂ，２ｂと中央片２ａとからなる略コ字形の台状に折曲して、中央片２ａとなる面を前記規格外機器を取り付けるための取着面２としている。【選択図】        図１
2004357482.tif 000002
【特許請求の範囲】
【請求項１】
壁面に設置され縦寸法が揃うように規格化された各種マルチメディア関連機器が取り付けられるマルチメディアポート盤内に、規格外の各種マルチメディア関連機器を取り付けるためのマルチメディアポート用アタッチメントであって、縦方向の寸法が前記規格化された各種マルチメディア関連機器と同一寸法に形成されると共に縦方向の両端部にマルチメディアポート盤内の縦方向の両端に設けられたねじ孔に対応する取付孔が形成され、前記取付孔の間に前記規格外の各種マルチメディア関連機器を取り付ける取着面を有することを特徴とするマルチメディアポート用アタッチメント。
【請求項２】
前記取着面に、前記規格外の各種マルチメディア関連機器をねじ止めするための取付孔を、前記規格外の各種マルチメディア関連機器のねじ孔に合わせて設けたことを特徴とする請求項１記載のマルチメディアポート用アタッチメント。
【請求項３】
前記取着面に、前記規格外の各種マルチメディア関連機器をねじ止めするための取付孔を複数設けたことを特徴とする請求項１記載のマルチメディアポート用アタッチメント。
【請求項４】
前記取付孔を、縦長形状の孔としたことを特徴とする請求項２または３記載のマルチメディアポート用アタッチメント。
【請求項５】
前記取付孔を、横長形状の孔としたことを特徴とする請求項２または３記載のマルチメディアポート用アタッチメント。
【請求項６】
前記取着面に、前記取着面と前記規格外の各種マルチメディア関連機器とを結束する結束部材を挿通させる孔を設けたことを特徴とする請求項１記載のマルチメディアポート用アタッチメント。
【請求項７】
前記取着面の背面に両端が固定され、前記背面との間に前記取着面と前記規格外の各種マルチメディア関連機器とを結束する結束部材を挿通させる隙間を有する突出片を設けたことを特徴とする請求項１記載のマルチメディアポート用アタッチメント。
【請求項８】
前記取着面の下方に突起部を設けたことを特徴とする請求項１記載のマルチメディアポート用アタッチメント。
【請求項９】
前記取着面の縦方向の両端を取着面の背面側に折曲して前記取付孔の間をコ字形の台状に形成し、折曲された取着面の両端の部位に前記取着面と前記規格外の各種マルチメディア関連機器とを結束する結束部材を挿通させる孔を設けたことを特徴とする請求項１記載のマルチメディアポート用アタッチメント。
【請求項１０】
前記取着面に、前記規格外の各種マルチメディア関連機器をねじ止めするための雌ねじ部を形成したことを特徴とする請求項１記載のマルチメディアポート用アタッチメント。
【請求項１１】
前記取着面の材質が金属製であることを特徴とする請求項１記載のマルチメディアポート用アタッチメント。
【請求項１２】
前記取着面の材質が木質製であることを特徴とする請求項１記載のマルチメディアポート用アタッチメント。
【請求項１３】
前記規格化された各種マルチメディア関連機器は、横幅が単位モジュール寸法の整数倍に形成されたものであって、前記マルチメディアポート用アタッチメントの横幅を、前記規格化された各種マルチメディア関連機器の単位モジュール寸法の整数倍に形成したことを特徴とする請求項１記載のマルチメディアポート用アタッチメント。
【請求項１４】
請求項１乃至１３の何れか記載のマルチメディアポート用アタッチメントを少なくとも２つ組み合わせて、規格外の各種マルチメディア関連機器をマルチメディアポート盤内に取り付けることを特徴とするマルチメディアポート用アタッチメントシステム。
【発明の詳細な説明】
【０００１】
【発明の属する技術分野】
本発明は、マルチメディアポート盤内に規格外のマルチメディア関連機器を取り付けるためのマルチメディアポート用アタッチメントに関するものである。
【０００２】
【従来の技術】
従来のマルチメディアポートと呼ばれる情報盤の構成例を図２０に示す。このマルチメディアポートＸは壁面に設置され、マルチメディアポート盤１００内に規格化された各種マルチメディア関連機器（以下、専用内器という。）としてのＬＡＮ配線用中継端子台２００と電話配線用中継端子台３００とが並設されている。
【０００３】
これらの専用内器２００，３００は、外形状の縦方向の寸法を同一寸法とし、また横方向の幅寸法を所定の単位モジュール寸法の整数倍の寸法として、マルチメディアポート盤１００内に無駄なく配置することができるようになっている。
【０００４】
専用内器２００，３００は縦方向の両端に取付片２００ａ，３００ａがそれぞれ延設されており、取付片２００ａ，３００ａに穿孔された取付穴２００ｂ，３００ｂを、マルチメディアポート盤１００内の両端に左右方向に並んで設けられた複数のねじ孔１００ａ…、１００ｂ…の一対に合わせてねじ止めすることにより、マルチメディアポート盤１００内に固定される（例えば、特許文献１参照。）。
【０００５】
【特許文献１】
特開２００２−３５３９７２号公報
【０００６】
【発明が解決しようとする課題】
しかしながら、従来のマルチメディアポートでは、上述した専用内器しか取り付けることができず、専用内器以外の市販機器を取り付けるためには、マルチメディアポート盤１００内に木板を取り付けたフリースペースを設けておき、前記木板に前記市販機器をねじ止めする必要があった。また、前記市販機器にねじ止めするねじ孔がない場合は、取り付けることができなかった。
【０００７】
本発明は上記問題点に鑑みて為されたものであって、その目的とするところは、規格外の各種マルチメディア関連機器をマルチメディアポート盤内に取り付けることができるマルチメディアポート用アタッチメントおよびアタッチメントシステムを提供することにある。
【０００８】
【課題を解決するための手段】
上記目的を達成するために、請求項１記載のマルチメディアポート用アタッチメントは、壁面に設置され縦寸法が揃うように規格化された各種マルチメディア関連機器が取り付けられるマルチメディアポート盤内に、規格外の各種マルチメディア関連機器を取り付けるためのマルチメディアポート用アタッチメントであって、縦方向の寸法が前記規格化された各種マルチメディア関連機器と同一寸法に形成されると共に縦方向の両端部にマルチメディアポート盤内の縦方向の両端に設けられたねじ孔に対応する取付孔が形成され、前記取付孔の間に前記規格外の各種マルチメディア関連機器を取り付ける取着面を有するものとした。
【０００９】
請求項２記載のマルチメディアポート用アタッチメントは、請求項１記載の発明において、前記取着面に、前記規格外の各種マルチメディア関連機器をねじ止めするための取付孔を、前記規格外の各種マルチメディア関連機器のねじ孔に合わせて設けたものとした。
【００１０】
請求項３記載のマルチメディアポート用アタッチメントは、請求項１記載の発明において、前記取着面に、前記規格外の各種マルチメディア関連機器をねじ止めするための取付孔を複数設けたものとした。
【００１１】
請求項４記載のマルチメディアポート用アタッチメントは、請求項２または３記載の発明において、前記取付孔を、縦長形状の孔としたものとした。
【００１２】
請求項５記載のマルチメディアポート用アタッチメントは、請求項２または３記載の発明において、前記取付孔を、横長形状の孔としたものとした。
【００１３】
請求項６記載のマルチメディアポート用アタッチメントは、請求項１記載の発明において、前記取着面に、前記取着面と前記規格外の各種マルチメディア関連機器とを結束する結束部材を挿通させる孔を設けたものとした。
【００１４】
請求項７記載のマルチメディアポート用アタッチメントは、請求項１記載の発明において、前記取着面の背面に両端が固定され、前記背面との間に前記取着面と前記規格外の各種マルチメディア関連機器とを結束する結束部材を挿通させる隙間を有する突出片を設けたものとした。
【００１５】
請求項８記載のマルチメディアポート用アタッチメントは、請求項１記載の発明において、前記取着面の下方に突起部を設けたものとした。
【００１６】
請求項９記載のマルチメディアポート用アタッチメントは、請求項１記載の発明において、前記取着面の縦方向の両端を取着面の背面側に折曲して前記取付孔の間をコ字形の台状に形成し、折曲された取着面の両端の部位に前記取着面と前記規格外の各種マルチメディア関連機器とを結束する結束部材を挿通させる孔を設けたものとした。
【００１７】
請求項１０記載のマルチメディアポート用アタッチメントは、請求項１記載の発明において、前記取着面に、前記規格外の各種マルチメディア関連機器をねじ止めするための雌ねじ部を形成したものとした。
【００１８】
請求項１１記載のマルチメディアポート用アタッチメントは、請求項１記載の発明において、前記取着面の材質を金属製とした。
【００１９】
請求項１２記載のマルチメディアポート用アタッチメントは、請求項１記載の発明において、前記取着面の材質を木質製とした。
【００２０】
請求項１３記載のマルチメディアポート用アタッチメントは、請求項１記載の発明において、前記規格化された各種マルチメディア関連機器は、横幅が単位モジュール寸法の整数倍に形成されたものであって、前記マルチメディアポート用アタッチメントの横幅を、前記規格化された各種マルチメディア関連機器の単位モジュール寸法の整数倍に形成した。
【００２１】
請求項１４記載のマルチメディアポート用アタッチメントシステムは、請求項１乃至１３の何れか記載のマルチメディアポート用アタッチメントを少なくとも２つ組み合わせて、規格外の各種マルチメディア関連機器をマルチメディアポート盤内に取り付けるものとした。
【００２２】
【発明の実施の形態】
以下、本発明を実施形態１から実施形態２によって説明する。なお、以下の説明におけるマルチメディアポートＸの構成は従来例と共通するために、共通する部分については同一の符号を付して説明を省略する。
【００２３】
（実施形態１）
図１に、本実施形態のマルチメディアポート用アタッチメントＡを示す。このマルチメディアポート用アタッチメントＡは、マルチメディアポート盤１００内に、規格外の各種マルチメディア関連機器（以下、規格外機器という。）を取り付けるためのものであって、細長の金属板１の縦方向の寸法（長手方向の寸法）をマルチメディアポート盤１００内に取り付けられる専用内器と同一寸法に形成すると共に、横方向の寸法を前記専用機器の単位モジュール寸法に形成している。
【００２４】
縦方向の両端部には、マルチメディアポート盤１００内の縦方向の両端に左右方向に並んで設けられた複数のねじ孔１００ａ…，１００ｂ…の一対に対応する取付孔１ａ，１ｂが設られ、取付孔１ａ，１ｂの間を両脚片２ｂ，２ｂと中央片２ａとからなる略コ字形の台状に折曲して、中央片２ａとなる面を前記規格外機器を取り付けるための取着面２としている。
【００２５】
取着面２には、取着面２の長手方向に沿った中心線上に複数のねじ止め用の縦長の取付孔３が列設されると共に、取付孔３の左右両側の面の一部をプレス加工により取着面２の背面側に突出させて、後述するように取着面２と規格外機器とを結束する結束バンドを挿通させる孔４を取着面２の長手方向に沿って左右３ヶ所づつ形成し、さらに、前記プレス加工により取着面２の背面側に突出した部位で、取着面２の背面に両端が固定され前記背面との間に結束バンドを挿通させる隙間を有する突出片５を左右３ヶ所づつ形成している。本実施形態ではプレス加工により、取着面２の孔４と突出片５とを同時に形成して工数を削減している。
【００２６】
以上のように構成されたマルチメディアポート用アタッチメントＡは、図２に示すように、取着面２に規格外機器Ｚを取り付けた後（取り付け方については後述する。）、マルチメディアポート盤１００内の縦方向の両端に左右方向に並んで設けられたねじ孔１００ａ…，１００ｂ…の一対に取付孔１ａ，１ｂを合わせてねじ止めされ、マルチメディアポート盤１００内に固定される。なお、図１に示したように取付孔１ａは、だるま孔形であり、盤１内のねじ孔１００ａに仮螺着したねじに一時引っ掛けておくことでマルチメディアポート用アタッチメントＡの落下を心配することなく施工作業ができるようになっている。また、本実施形態ではねじ孔１ｂが縦方向に２個並んで形成されているが、もちろん１個のみでもよい。図３に、規格外機器Ｚを取り付けずに、マルチメディアポート用アタッチメントＡのみをマルチメディアポート盤１００内に取り付けた状態を示しておく。
【００２７】
ここで、規格外機器Ｚの取着面２への取り付け方について説明する。
【００２８】
このマルチメディアポート用アタッチメントＡは、複数の種類の規格外機器Ｚを取着面２に取り付けることができる。
【００２９】
まず、規格外機器Ｚが図４に示すように、器体の一面にねじ孔Ｚａを有する場合、ねじ孔Ｚａが形成された器体の一面をマルチメディアポート用アタッチメントＡの取着面２に向けてねじ孔Ｚａと複数の取付孔３の何れかとの位置を一致させ、取着面２の背面側から組み立てねじｎを螺挿して取着面２と規格外機器Ｚとを固定する。
【００３０】
ここで、取着面２に複数の取付孔３を列設したことで、特定の位置にねじ孔Ｚａを有する規格外機器Ｚに限定されず、取付可能な規格外機器Ｚの種類が多くなる。また、取付孔３の形状を縦長形状の孔としたことで取り付け位置の微調整が可能となり、さらに取付可能な規格外機器Ｚの種類が多くなる。
【００３１】
次に、規格外機器が図５に示すように取着面２より幅の狭い規格外機器Ｚ１であり、且つねじ孔を有していない場合は、規格外機器Ｚ１を取着面２に当接させ、結束バンドｂを規格外機器Ｚ１の前面側から右側の孔４、取着面２の背面側、左側の孔４へと通して（逆周りでも可。）、規格外機器Ｚ１と取着面２とを囲むようにして規格外機器Ｚ１と取着面２とを結束することにより、規格外機器Ｚ１を取着面２に取り付けることができる。
【００３２】
孔４を取着面２の長手方向に沿って左右３ヶ所づつ設けたことで、規格外機器Ｚ１の複数の箇所（図５では２箇所。）を結束することが可能となり、規格外機器Ｚ１を強固に結束することができる。万が一、規格外機器Ｚ１と結束バンドｂとが共に下方にずれ落ちても、結束バンドｂを孔４に通していることにより、孔４の下端と結束バンドｂとが当接してそれ以上のずれ落ちを防ぐことができる。また、万が一、結束バンドｂが緩んでも規格外機器Ｚ１が下方に落ちないように、図６に示すように、取着面２の下方の端部に突起片６を設けてもよい。
【００３３】
次に、規格外機器が図７に示すように取着面２より幅の広い機器Ｚ２であり、且つねじ孔を有していない場合は、規格外機器Ｚ２を取着面２に当接させ、結束バンドｂを規格外機器Ｚ２の前面から右側の突出片５と取着面２の背面との隙間、取着面２の背面、左側の突出片５と取着面２の背面との隙間へ通して（逆周りでも可。）、規格外機器Ｚ２と取着面２とを囲むようにして規格外機器Ｚ２と取着面２とを結束することにより、規格外機器Ｚ２を取着面２に取り付けることができる。この場合も、万が一、規格外機器Ｚ１と結束バンドｂとが共に下方にずれ落ちても、突出片５の下端と結束バンドｂとが当接することにより、それ以上の下方へのずれ落ちを防ぐことができる。
【００３４】
次に、規格外機器に取付用のマグネットが設けられている場合は（図示せず）、マルチメディアポート用アタッチメントＡが金属板１より形成されているため、前記マグネットにより直接、取着面２に取り付けることができる。
【００３５】
かかるマルチメディアポート用アタッチメントＡにおいては、１つのマルチメディアポート用アタッチメントＡを介して複数の種類の規格外機器をマルチメディアポート盤１００内に取り付けることができる。また、横方向の寸法を前記専用機器の単位モジュール寸法に形成しているので、マルチメディアポート盤１００内に無駄なく配置することができる。
【００３６】
なお、本実施形態では規格外機器を取着面２に取り付けるために、縦長の取付孔３と、結束バンドｂを挿通させる孔４と、突出片５とを有していたが、これらの構成に限定されるものではなく、以下に示すような構成でもよい。
【００３７】
図８のマルチメディアポート用アタッチメントＡ１は、縦長の取付孔３のみを取着面２の長手方向に沿った中心線上に複数列設したものである。この場合は、器体の一面にねじ孔を有する規格外機器を、組み立てねじｎを用いて取着面２に取り付けることができる。また縦長の取付孔３の代わりに、図１１のマルチメディアポート用アタッチメントＡ４に示すように、丸型の取付孔３Ａを取着面２の長手方向に沿って多数列設したものや、縦長の代わりに横長の取付孔を有するものでもよい。
【００３８】
図９のマルチメディアポート用アタッチメントＡ２は、結束バンドｂを挿通させる孔４のみを取着面２の長手方向に沿って左右３ヶ所づつ形成したものである。この場合は、器体にねじ孔が無く且つ取着面２より幅の狭い規格外機器を、結束バンドｂを用いて取着面２に取り付けることができる。
【００３９】
図１０のマルチメディアポート用アタッチメントＡ３は、結束バンドｂを挿通させる孔４と、取着面２の背面側に突出する突出片５とを備えたものである。この場合は、器体にねじ孔が無く且つ取着面２より幅の狭い規格外機器は、孔４に結束バンドｂを通して図９と同様に取り付け、また器体にねじ孔が無く且つ取着面２より幅の広い規格外機器は、突出片５の隙間に結束バンドｂを通して取着面２に取り付けるというように、規格外機器の幅に応じて結束バンドｂの結束位置を換えて、より強固に規格外機器を固定することができる。
【００４０】
図１２のマルチメディアポート用アタッチメントＡ５は、取着面２に丸型の取付孔３Ａを規格外機器のねじ孔に合わせて穿孔したものである。取着面２に取り付ける規格外機器のねじ孔の位置が予め決まっている場合には、このように規格外機器のねじ孔の位置に合わせた取付孔３Ａを設けておいてもよい。
【００４１】
図１３のマルチメディアポート用アタッチメントＡ６は、取着面２の縦方向の両端で取着面２の背面側に折曲された部位となる両脚片２ｂ，２ｂに、取着面２と規格外機器とを結束する結束バンドｂを挿通させる孔７ａ，７ｂを設けたものである。かかるマルチメディアポート用アタッチメントＡ６においては、規格外機器を横向きに取り付ける場合のように結束バンドｂで水平方向に結束ができない場合に、結束バンドｂを孔７ａ，７ｂを通して、規格外機器の前面から取着面２の背面を垂直方向に囲むようにして規格外機器と取着面２とを結束することにより、規格外機器を取着面２に取り付けることができる。
【００４２】
図１４ののマルチメディアポート用アタッチメントＡ７は、取着面２に規格外機器をねじ止めするための雌ねじ部８を有するものである。規格外機器が、図１５に示すように、取付孔Ｚｂにねじを挿入して木板などに取り付けるものの場合、取着面２に取付孔３を有していても、ねじ止めすることができない。よって、取着面２に雌ねじ部８を設けておくことで、規格外機器Ｚ３を取着面２に当接させ取付孔Ｚｂと雌ねじ部８との位置を一致させ、規格外機器Ｚ３の前面側からねじを螺挿して規格外機器Ｚ３と取着面２とを固定することができる。
【００４３】
図１６のマルチメディアポート用アタッチメントＡ８は、金属板ではなく、木板から形成されたものである。取着面２’には、特に孔などは設けられていない。かかるマルチメディアポート用アタッチメントＡ８においては、規格外機器が上述した図１５に示すようなものの場合、取着面２’の自由な位置にねじ止めすることができる。
【００４４】
（実施形態２）
本実施形態は、実施形態１に示したようなマルチメディアポート用アタッチメントを２つ組み合わせて前記規格外機器をマルチメディアポート盤１００内に取り付ける例を示す。
【００４５】
図１７は、実施形態１に示した図８のマルチメディアポート用アタッチメントＡ１を２つ用いて、横長の規格外機器Ｚ４を取り付けたものである。マルチメディアポート用アタッチメントＡ１を２つ組み合わせることで、１つでは取り付けられないような大きい規格外機器や、横長の規格外機器、或いは縦置きでは配線が邪魔になるため横向きに取り付けたい規格外機器、などでもマルチメディアポート盤１００内に取り付けることができる。
【００４６】
図１８は、横長の取付孔３Ｃが取着面２の長手方向に沿って列設されたマルチメディアポート用アタッチメントＡ９を２つ用いて、規格外機器Ｚ５を取り付けたものである。取付孔３Ｃを横長とすることで、横方向の取り付け位置の微調整が可能となる。なお、図１８は、縦置きでは配線ｈが邪魔になるため横向きに規格外機器Ｚ５取り付けた例を示している。
【００４７】
図１９は、縦長の取付孔３を有するマルチメディアポート用アタッチメントＡ１と、横長の取付孔３Ｃを有するマルチメディアポート用アタッチメントＡ９とを用いて、規格外機器Ｚ６を取り付けたものである。マルチメディアポート用アタッチメントＡ１とマルチメディアポート用アタッチメントＡ９とを用いることにより、規格外機器Ｚ６のねじ孔Ｚａの位置が直線上にない場合でも、マルチメディアポート盤１００内に取り付けることができる。
【００４８】
【発明の効果】
請求項１記載のマルチメディアポート用アタッチメントは、前記取着面に前記規格外の各種マルチメディア関連機器を取り付け、縦方向の両端部に形成された前記取付孔を介して前記マルチメディアポート盤内にねじ止めすることで、前記規格外のマルチメディア関連機器をマルチメディアポート盤内に取り付けることができるという効果がある。
【００４９】
請求項２記載のマルチメディアポート用アタッチメントは、請求項１記載の発明において、前記規格外の各種マルチメディア関連機器がねじ孔を有する場合に、前記規格外の各種マルチメディア関連機器を前記取着面にねじ止めできるという効果がある。
【００５０】
請求項３記載のマルチメディアポート用アタッチメントは、請求項１記載の発明において、特定の位置にねじ孔を有する前記規格外の各種マルチメディア関連機器に限定されず、多くの種類の前記規格外の各種マルチメディア関連機器を前記取着面にねじ止めできるいう効果がある。
【００５１】
請求項４記載のマルチメディアポート用アタッチメントは、請求項２または３記載の発明において、前記規格外の各種マルチメディア関連機器をねじ止めする際に縦方向の位置の微調整が可能となり、取り付け可能な前記規格外の各種マルチメディア関連機器の種類を多くすることができるという効果がある。
【００５２】
請求項５記載のマルチメディアポート用アタッチメントは、請求項２または３記載の発明において、前記規格外の各種マルチメディア関連機器をねじ止めする際に横方向の位置の微調整が可能となり、取り付け可能な前記規格外の各種マルチメディア関連機器の種類を多くすることができるという効果がある。
【００５３】
請求項６記載のマルチメディアポート用アタッチメントは、請求項１記載の発明において、前記結束部材を前記孔に通して前記規格外の各種マルチメディア関連機器と前記取着面とを結束することができ、また、前記結束部材が前記孔を通っているので、前記結束部材の位置が前記孔の位置よりずれることがないという効果がある。
【００５４】
請求項７記載のマルチメディアポート用アタッチメントは、請求項１記載の発明において、前記結束部材を前記隙間に通して前記規格外の各種マルチメディア関連機器と前記取着面とを結束することができ、また、前記結束部材が前記隙間を通っているので、前記結束部材の位置が前記隙間の位置よりずれることがなく、さらに、前記結束部材が前記取着面の背面の横断するようにして結束できるので、前記規格外の各種マルチメディア関連機器の幅が前記取着面の幅より大きい場合にも結束することができるという効果がある。
【００５５】
請求項８記載のマルチメディアポート用アタッチメントは、請求項１記載の発明において、万が一前記各種マルチメディア関連機器が落ちそうになっても、前記突起部でそれ以上の落下を防ぐことができるという効果がある。
【００５６】
請求項９記載のマルチメディアポート用アタッチメントは、請求項１記載の発明において、前記結束部材を前記孔に通して前記規格外の各種マルチメディア関連機器と前記取着面とを垂直方向に結束することができるという効果がある。
【００５７】
請求項１０記載のマルチメディアポート用アタッチメントは、請求項１記載の発明において、前記前記規格外の各種マルチメディア関連機器がねじ孔ではなく取付孔を有している場合に、前記雌ねじ部を用いて前記規格外の各種マルチメディア関連機器を前記取着面にねじ止めできるという効果がある。
【００５８】
請求項１１記載のマルチメディアポート用アタッチメントは、請求項１記載の発明において、前記規格外の各種マルチメディア関連機器が取付用のマグネットを有している場合に、前記マグネットで直接、前記取着面に取り付けできるという効果がある。
【００５９】
請求項１２記載のマルチメディアポート用アタッチメントは、請求項１記載の発明において、前記規格外の各種マルチメディア関連機器を前記取着面の自由な位置にねじ止めできるという効果がある。
【００６０】
請求項１３記載のマルチメディアポート用アタッチメントは、請求項１記載の発明において、マルチメディアポート盤内に無駄なく配置することができるという効果がある。
【００６１】
請求項１４記載のマルチメディアポート用アタッチメントシステムは、一つのマルチメディアポート用アタッチメントでは取り付けられないような前記各種マルチメディア関連機器でも、マルチメディアポート用アタッチメントを組み合わせて用いることで、前記マルチメディアポート盤内に取り付けることができるという効果がある。
【図面の簡単な説明】
【図１】実施形態１のマルチメディアポート用アタッチメントを示す図である。
【図２】同上のマルチメディアポート用アタッチメントに規格外機器をねじ止めし、マルチメディアポート盤内に取り付けた状態を示す図である。
【図３】同上のマルチメディアポート用アタッチメントをマルチメディアポート盤内に取り付けた状態を示す図である。
【図４】ねじ孔を有する規格外機器の一例を示す図である。
【図５】同上のマルチメディアポート用アタッチメントに結束バンドを用いて規格外機器を結束した状態を示す図である。
【図６】同上のマルチメディアポート用アタッチメントの取着面に突起片を設けた図である。
【図７】同上のマルチメディアポート用アタッチメントに結束バンドを用いて幅の広い規格外機器を結束した状態を示す図である。
【図８】同上の別の形態のマルチメディアポート用アタッチメントを示す図である。
【図９】同上の別の形態のマルチメディアポート用アタッチメントを示す図である。
【図１０】同上の別の形態のマルチメディアポート用アタッチメントを示す図である。
【図１１】同上の別の形態のマルチメディアポート用アタッチメントを示す図である。
【図１２】同上の別の形態のマルチメディアポート用アタッチメントを示す図である。
【図１３】同上の別の形態のマルチメディアポート用アタッチメントを示す図である。
【図１４】同上の別の形態のマルチメディアポート用アタッチメントを示す図である。
【図１５】同上の別の規格外機器の一例を示す図である。
【図１６】同上の別の形態のマルチメディアポート用アタッチメントを示す図である。
【図１７】実施形態２のマルチメディアポート用アタッチメントシステムを示す図である。
【図１８】同上の別の形態のマルチメディアポート用アタッチメントシステムを示す図である。
【図１９】同上の別の形態のマルチメディアポート用アタッチメントシステムを示す図である。
【図２０】従来のマルチメディアポートの一構成例を示す図である。
【符号の説明】
１ａ，１ｂ  取付孔
２  取着面
３  取付孔
４  孔
５  突出片
６  突起片
Ａ  マルチメディアポート用アタッチメント
【図１】
2004357482.tif 000003
【図２】
2004357482.tif 000004
【図３】
2004357482.tif 000005
【図４】
2004357482.tif 000006
【図５】
2004357482.tif 000007
【図６】
2004357482.tif 000008
【図７】
2004357482.tif 000009
【図８】
2004357482.tif 000010
【図９】
2004357482.tif 000011
【図１０】
2004357482.tif 000012
【図１１】
2004357482.tif 000013
【図１２】
2004357482.tif 000014
【図１３】
2004357482.tif 000015
【図１４】
2004357482.tif 000016
【図１５】
2004357482.tif 000017
【図１６】
2004357482.tif 000018
【図１７】
2004357482.tif 000019
【図１８】
2004357482.tif 000020
【図１９】
2004357482.tif 000021
【図２０】
2004357482.tif 000022